(57)【要約】【課題】ロック状態を解除するためのソレノイドが何らかのトラブルにより作動しなくなりロック状態を解除できなくなった場合でも索条を切断するなど不正開放防止装置を破壊することなくロック状態を強制的に解除することができるようにする。【解決手段】チエン，ワイヤ等の索条１５が巻回されたリール巻取装置１１と、該リール巻取装置のリール１４の回転を制止する電動ロック機構１２とを密閉ケース１０内に設けるとともに、該密閉ケースから導出した索条１５の先端を遊技機の前面枠２の裏面に係着することにより該電動ロック機構を解除することなく前面枠を開放できないようにする遊技機の不正開放防止装置において、該密閉ケースの一側に該電動ロック機構のロック状態を該密閉ケース外から強制解除できる強制解除操作部２５を設ける。【選択図】図３
2006110173.tif 000002
【特許請求の範囲】
【請求項１】
チエン，ワイヤ等の索条が巻回されたリール巻取装置と、該リール巻取装置のリールの回転を制止する電動ロック機構とを密閉ケース内に設けるとともに、該密閉ケースから導出した索条の先端を遊技機の前面枠の裏面に係着することにより該電動ロック機構を解除することなく前面枠を開放できないようにする遊技機の不正開放防止装置において、該密閉ケースの一側に該電動ロック機構のロック状態を該密閉ケース外から強制解除できる強制解除操作部を設けたことを特徴とする遊技機の不正開放防止装置。
【請求項２】
強制解除操作部を作動させたときその作動を電気信号により検出する強制解除検出手段を密閉ケース内に設けた請求項１に記載の遊技機の不正開放防止装置。
【請求項３】
強制解除操作部を操作し電動ロック機構のロック状態が解除された場合に該強制解除操作部は元に戻らないよう強制解除操作位置にて固定・維持されるようにした請求項１または２に記載の遊技機の不正開放防止装置。
【発明の詳細な説明】
【技術分野】
【０００１】
本発明はパチンコ遊技機やスロットマシンのような遊技機の前面枠が不正の目的で開放されるのを防ぐために設けられる不正開放防止装置に関するものである。
【背景技術】
【０００２】
下記特許文献１に示された遊技機の不正開放防止装置は、リール巻取装置にそのリールの回転を制止する電動ロック機構を設けるとともに、該リール巻取装置から導出したチエン，ワイヤ等の索条の先端を前面枠の裏面に掛止することにより、該電動ロック機構を解除することなく前面枠を開放できないように構成したものであり、これによってパチンコ遊技機が不正の目的で開放されるのが防止されるようにするものである。
【特許文献１】特許第３０３９７７２号公報
【発明の開示】
【発明が解決しようとする課題】
【０００３】
ところで、上記不正開放防止装置は、供給電源の不良等によってロック機構が正常に作動しない等のハード的なトラブルが発生し該ロック機構のロック状態を遠隔で解除できなくなったような場合、リール巻取装置や電動ロック機構は従来から密閉ケース内に封入されたものであったので、ロック状態を解除するためには上記ワイヤ等の索条を強制的に切断し破壊せざるを得ないものであった。ところがこのような強制的なロック解除をすると、その不正開放防止装置は２度と使用できなくなり、新規なものと交換せざるを得ないのでコストが嵩むという問題があった。
【０００４】
そこで本発明は、上記問題点を改善し、ロック状態を解除するためのソレノイドが何らかのトラブルにより作動しなくなりロック状態を解除できなくなった場合でも索条を切断するなど不正開放防止装置を破壊することなくロック状態を強制的に解除することができるようにするものである。
【課題を解決するための手段】
【０００５】
そのために請求項１に記載した遊技機の不正開放防止装置の発明は、チエン，ワイヤ等の索条が巻回されたリール巻取装置と、該リール巻取装置のリールの回転を制止する電動ロック機構とを密閉ケース内に設けるとともに、該密閉ケースから導出した索条の先端を遊技機の前面枠の裏面に係着することにより該電動ロック機構を解除することなく前面枠を開放できないようにする遊技機の不正開放防止装置において、該密閉ケースの一側に該電動ロック機構のロック状態を該密閉ケース外から強制解除できる強制解除操作部を設けたことを特徴とする。
【０００６】
また、請求項２に記載の発明は、上記請求項１に記載の不正開放防止装置において、強制解除操作部を作動させたときその作動を電気信号により検出する強制解除検出手段を密閉ケース内に設けたことを特徴とする。
【０００７】
また請求項３に記載の上記請求項１または２に記載の不正開放防止装置において、強制解除操作部を操作し電動ロック機構のロック状態が解除された場合に該強制解除操作部は元に戻らないよう強制解除操作位置にて固定・維持されるようにしたことを特徴とする。
【発明の効果】
【０００８】
請求項１に記載の不正開放防止装置は、装置を破壊することなくロック状態を強制的に解除できるので、修復が容易でコストが軽減される。
【０００９】
請求項２および３に記載の発明では、ロック状態を強制解除したことが確実に把握されることから、不正な開放操作については十分なる防止効果を維持することができる。
【実施例１】
【００１０】
次に本発明の実施例を図面とともに説明する。図１は遊技機島台の横断面図で、１は遊技機の台枠、２は該台枠の一側に開閉可能に枢着された前面枠、３は該台枠を支持している島台、４は該島台上部に形成された景品メダル収納棚、５は該収納棚の上部に設けられた幕板、６は該島台上部の横架梁、７は連結梁である。そして、前面枠２はその前面に設けられた鍵孔に所定のキーを差し込んで開操作をすることにより図１の左側に図示したように開放状態となり得る。また、幕板５についても図示したように開閉可能に設けられている。
【００１１】
図２に外観斜視図を示すように、８は該島台における幕板５の内側で横架梁６にビス９によって固設される不正開放防止装置で、該不正開放防止装置は図３および図４に示したように合成樹脂製の密閉ケース１０内にリール巻取装置１１と電動ロック機構１２が設けられる。リール巻取装置１１は、密閉ケース１０内に設けられた支軸１３にゼンマイバネ１３ａを介してリール１４が支持され、該リールの外周にスチールワイヤ等の索条１５を巻回している。そして該ゼンマイバネの弾性により該リール１４を索条１５が巻き取られる方向に付勢している。なお、１６は該リール１４と一体に形成された爪車である。電動ロック機構１２は、密閉ケース１０内に設けられた支軸１７に可動ロック片１８を枢支し、該可動ロック片の一端をソレノイド１９の作動杆２０にピン２０ａを介して連繋し該ソレノイドの作動により該可動ロック片が定角度回転動するようにするとともに、該可動ロック片の他方の先端２１を爪車１６に対向させている。２２は作動杆２０の外周に装着されたコイルバネで、該ソレノイド１９が非励磁であるときは該コイルバネの弾性により可動ロック片１８が押圧され該可動ロック片の先端２１を爪車１６に噛合させ、該リール１４を回転不能にロックするとともに、該ソレノイド１９が励磁すると、図５に示したように該コイルバネ２２の弾性に抗して該可動ロック片１８が可動し先端２１を爪車１６から離脱させリール１４を回転自在にする。
【００１２】
しかして、２５は強制解除操作部で、該強制解除操作部は、密閉ケース１０の一側壁の内側にガイドレール２６を形成し該ガイドレールに沿って摺動可能なるように解除操作片２７を配置し、該解除操作片に該密閉ケース１０の一側壁に開設された透窓２８に臨む摘子２９を形成するとともに、前記可動ロック片１８の他端部２３と相対する突起部３０を該解除操作片２７に一体に形成している。また、密閉ケース１０の内壁面に小凹部３１を形成し、該小凹部に嵌合し得る小凸起３２を該解除操作片２７の側面に一体に形成している。また、３３は該解除操作片２７を摺動したときに触子３４が当接することでその摺動状態を電気的に検知するために設けられたマイクロスイッチである。
【００１３】
なお、索条１５は密閉ケース１０の一側壁に基端部が固定された可撓性チューブ３５中に進退動可能に遊挿することにより該密閉ケース１０内から導出され、該可撓性チューブを図１，図２に示したように止金具３６によって連結梁７の側面に係止するとともに、前面枠２の裏面に固植したフック３７に該可撓性チューブの先端部から突出させた該索条の先端部３８を係止する。
【００１４】
このように構成した不正開放防止装置は、前面枠２を閉じた状態ではゼンマイバネ１３ａの弾性により索条１５がリール１４に巻き取られることから、該索条は弛むことなく、また図３に示したように、コイルバネ２２の弾性により可動ロック片１８の先端２１を爪車１６に噛合させることから該爪車１６の回転、即ち、索条１５の巻き戻しを不能にして該前面枠２を図１の島台の右側に示した遊技機のように閉止状態（ロック状態）に保つ。そして、遊技場の集中管理室等、遠隔からの操作でソレノイド１９が励磁されると、図５に示したようにコイルバネ２２の弾性に抗して可動ロック片１８が傾動しその先端２１が爪車１６から離脱することでリール１４が回転自在となる。このためロック状態が解除され、図１の島台の左側に示した遊技機のように索条１５が繰り出され前面枠２を開けられる。
【００１５】
一方、ソレノイド１９の供給電源の不良等、何らかのトラブルにより、該ソレノイド１９を励磁させることが不能となり、前面枠２を開けることができなくなった場合は、透窓２８に位置する摘子２９を図３に示した矢印の方向に操作し解除操作片２７を図６に示したように摺動させ、その突起部３０により可動ロック片１８を傾動させその先端２１を爪車１６から離脱させることにより、ロック状態を強制的に解除する。これにより、索条１５を切断することなく前面枠２を開けられるようになる。また、解除操作片２７をこのように強制解除位置に摺動操作すると、マイクロスイッチ３３がその状態を検出し、集中管理室等で把握できるとともに、該解除操作片２７を摺動させたとき小凸起３２が小凹部３１に嵌合することから、該解除操作片２７を操作後はその状態が固定・維持されすぐに元に戻すことが困難となることから集中管理室等でこの強制解除操作が検出され、不正に解除操作が行われたような場合はこれを確実に把握することができる。
【００１６】
このように本発明では、電動ロック機構のロック状態を該密閉ケース外から強制解除できる強制解除操作部を設けたことから、何らかのトラブルでロック状態が解除できなくなったとき、この強制解除操作部を操作することにより、索条等を切断するなどこの不正開放防止装置を破壊することなく前面枠２を開けられるようになる。しかも、強制解除操作部を作動させたときその作動を電気信号により検出するマイクロスイッチ３３等の強制解除検出手段を設け、該強制解除操作部を操作し電動ロック機構のロック状態が解除された場合に該強制解除操作部が元に戻らないよう解除操作片２７に小凸起３２を設けるなど強制解除操作位置にて固定・維持される手段を設けたことから、不正な開放操作については十分なる防止効果を維持することができる。
【産業上の利用可能性】
【００１７】
本発明はパチンコ遊技機やスロットマシン、その他の遊技機の不正開放を防止することに利用できる。
【図面の簡単な説明】
【００１８】
【図１】本発明の実施例である不正開放防止装置の使用状態を示した遊技機島台の横断面図。
【図２】本発明の実施例である不正開放防止装置の外観斜視図。
【図３】本発明の実施例である不正開放防止装置の縦断面図。
【図４】図３のＡ−Ａ線断面矢視図。
【図５】図３の作動状態図。
【図６】図３の作動状態図。
【符号の説明】
【００１９】
１      台枠
２      前面枠
８      不正開放防止装置
１０    密閉ケース
１１    リール巻取装置
１２    電動ロック機構
１３ａ  ゼンマイバネ
１４    リール
１５    索条
１６    爪車
１８    可動ロック片
１９    ソレノイド
２２    コイルバネ
２５    強制解除操作部
２７    解除操作片
２８    透窓
２９    摘子
３１    小凹部
３２    小凸起
３３    マイクロスイッチ
【図１】
2006110173.tif 000003
【図２】
2006110173.tif 000004
【図３】
2006110173.tif 000005
【図４】
2006110173.tif 000006
【図５】
2006110173.tif 000007
【図６】
2006110173.tif 000008